(57)【要約】【課題】通常運転中に複数のモータの異常検知を簡易な回路構成で可能な冷蔵庫を提供する。【解決手段】製氷皿と、製氷皿を回動させる製氷皿回動用モータと、製氷皿に給水する給水ポンプと、該給水ポンプを駆動させる製氷皿給水用ポンプモータと、製氷皿回動用モータ及び製氷皿給水用ポンプモータへの運転電流の供給又は運転電流の供給指令を、氷皿回動用モータ及び前製氷皿給水用ポンプモータのいずれか１つが運転している間、他方のモータを運転させないように出力する第１ドライバと、製氷皿回動用モータ及び製氷皿給水用ポンプモータのいずれかに供給された運転電流を検知する、製氷皿回動用モータと製氷皿給水用ポンプモータとで共通の運転検知部と、を有する冷蔵庫。【選択図】  図２
2020118405.tif 000002
【特許請求の範囲】
【請求項１】
製氷皿と、該製氷皿を回動させる製氷皿回動用モータと、
前記製氷皿に給水する給水ポンプと、該給水ポンプを駆動させる製氷皿給水用ポンプモータと、
前記製氷皿回動用モータ及び前記製氷皿給水用ポンプモータへの運転電流の供給又は運転電流の供給指令を、前記製氷皿回動用モータ及び前記製氷皿給水用ポンプモータのいずれか１つが運転している間、他方のモータを運転させないように出力する第１ドライバと、
前記製氷皿回動用モータ及び前記製氷皿給水用ポンプモータのいずれかに供給された運転電流を検知する、前記製氷皿回動用モータと前記製氷皿給水用ポンプモータとで共通の運転検知部と、を有する冷蔵庫。
【請求項２】
真空貯蔵室内を減圧する真空ポンプモータと、該真空ポンプモータに運転電流を供給する又は運転電流の供給指令を出力する第２ドライバと、を有し、
前記運転検知部は、前記真空ポンプモータに供給された運転電流も検知し、
前記製氷皿回動用モータ及び前記製氷皿給水用ポンプモータのいずれかの動作中、前記第２ドライバに運転電流の供給及び供給指令を許さず、
前記真空ポンプモータの動作中、前記製氷皿回動用モータ及び前記製氷皿給水用ポンプモータのいずれかの運転指令が出力された場合、前記真空ポンプモータの動作を一時停止させて前記製氷皿回動用モータ及び前記製氷皿給水用ポンプモータのいずれかを運転させる請求項１に記載の冷蔵庫。
【請求項３】
真空貯蔵室内を減圧する真空ポンプモータと、該真空ポンプモータに運転電流を供給する又は運転電流の供給指令を出力する第２ドライバと、を有し、
前記運転検知部は、前記真空ポンプモータに供給された運転電流も検知し、
前記製氷皿回動用モータ及び前記製氷皿給水用ポンプモータのいずれかの動作中、前記第２ドライバに運転電流の供給及び供給指令を前記真空ポンプモータ電流の閾値を過ぎた後は許さず、
前記真空ポンプモータの動作中、前記製氷皿回動用モータ及び前記製氷皿給水用ポンプモータのいずれかの運転指令が出力された場合、前記閾値を過ぎてから前記真空ポンプモータの動作を一時停止させて前記製氷皿回動用モータ及び前記製氷皿給水用ポンプモータのいずれかを運転させる請求項１に記載の冷蔵庫。
【発明の詳細な説明】
【技術分野】
【０００１】
本発明は、冷蔵庫に関する。
【背景技術】
【０００２】
特許文献１は、温度制御を停止するとともに、複数の断線検出用リード線の接続を順次切換えながら断線検出用リード線に流れる電流を取り込み、その電流量に基づいてヒータの断線の有無を検出する方法を開示する（００１０）。すなわち、通常の温度制御を敢えて停止した上で、リレーを使って断線検知対象を順次切り替えて、断線検出用リード線３に流れる電流値に基づいて断線警報器でヒータに断線がないか確認する構成を開示する。
【先行技術文献】
【特許文献】
【０００３】
【特許文献１】特開２００１−１５２４７号公報
【発明の概要】
【発明が解決しようとする課題】
【０００４】
特許文献１は、ヒータの故障（断線）の検査を行うものであり、対象のヒータについて、断線検知用の制御を通常の駆動とは別に実行する必要がある。ヒータによる加熱を行うべきか停止すべきかといったヒータの必要性を検出しようとするものではない。
【課題を解決するための手段】
【０００５】
上記事情に鑑みてなされた本発明は、
製氷皿と、該製氷皿を回動させる製氷皿回動用モータと、
前記製氷皿に給水する給水ポンプと、該給水ポンプを駆動させる製氷皿給水用ポンプモータと、
前記製氷皿回動用モータ及び前記製氷皿給水用ポンプモータへの運転電流の供給又は運転電流の供給指令を、前記製氷皿回動用モータ及び前記製氷皿給水用ポンプモータのいずれか１つが運転している間、他方のモータを運転させないように出力する第１ドライバと、
前記製氷皿回動用モータ及び前記製氷皿給水用ポンプモータのいずれかに供給された運転電流を検知する、前記製氷皿回動用モータと前記製氷皿給水用ポンプモータとで共通の運転検知部と、を有する冷蔵庫である。
【発明の効果】
【０００６】
本発明によれば、運転検知部を共通化して部品点数を抑制し、対象の部品の通常駆動を観察することで、敢えて通常の制御とは別の制御を実行せずとも検査を行うことができる。
【図面の簡単な説明】
【０００７】
【図１】実施例１の冷蔵庫の横断面図
【図２】実施例１のモータ異常検出回路ブロック
【図３】実施例１のＩＭモータ及び真空ポンプモータの第１動作タイムチャート
【図４】実施例１のＩＭモータ及び真空ポンプモータの第２動作タイムチャート
【発明を実施するための形態】
【０００８】
以下、添付の図面を参照しながら本発明の実施例について説明する。本発明の各種の構成要素は必ずしも個々に独立したものである必要はなく、一の構成要素が複数の部材から成ること、複数の構成よそが位置の部材から成ること、等を許容する。
【実施例１】
【０００９】
図１は実施例１の冷蔵庫の横断面図である。冷蔵庫は、上から順に２つの冷蔵室と、冷凍室と、野菜室とを有する。例えば冷蔵室内には、給水タンク２０及び給水タンク２０内の水を汲み上げる給水ポンプモータ２が配されている。冷凍室内には、製氷皿１０と、製氷皿１０を回動させる製氷皿回動用モータ１が配されている。給水ポンプモータ２で汲み上げられた水は、製氷皿１０に供給される。
【００１０】
また、図１の断面では看取できないが、冷蔵室内には真空貯蔵室と真空貯蔵室を脱気する真空ポンプモータ３が配されている。また、冷蔵庫の冷凍サイクルやモータ１〜３を制御する制御装置（例えば制御マイコン８）が配されている。
【００１１】
図２は実施例１に係るモータ異常検出回路ブロックである。自動製氷機能で使用する製氷皿回動用モータ１及び給水ポンプモータ２は第１モータドライバＩＣ４で駆動され、真空ポンプモータ３は第２モータドライバＩＣ５で駆動される。各モータ１〜３の運転電流は各モータドライブＩＣのＧＮＤ部に共通で接続したシャント抵抗６（運転検知部）を介して電圧に変換した後にオペアンプ７で増幅され制御マイコン８に入力される。
【００１２】
自動製氷機能では、例えば給水後一定時間が経過したら製氷が完了したと判定する。製氷皿１０を製氷皿回動用モータ１で回動させて氷を製氷皿１０から離脱させる離氷動作を実行する。その後、給水ポンプモータ２が水を汲み上げて製氷皿１０に給水し、給水した水が凍り製氷が完了するまで、予め定められた一定時間待機する。製氷完了後、再び離氷動作を行う。この繰り返しで製氷が行われる。
【００１３】
このように、本実施例の製氷皿回動用モータ１及び給水ポンプモータ２は同時動作することはなく、文脈からこれら２つを混同する虞が無いことから、製氷皿回動用モータ１及び給水ポンプモータ２を以後まとめてＩＭモータ１，２と呼ぶこととする。
【００１４】
図３は、本実施例のＩＭモータ及び真空ポンプモータの第１動作タイムチャートである。本実施例では、真空ポンプモータ３動作中にＩＭモータ１，２の運転指示が出た場合、ＩＭモータ１，２動作を優先し真空ポンプモータ３を一時停止するようにしている。ＩＭモータ１，２の動作が完了したら、一時停止を解除して真空ポンプモータ３の動作を再開する。ＩＭモータ１，２は冷蔵庫のユーザが製氷皿１０の清掃に伴って動作させることがあるため、動作指令から時間を空けずに動作しないと故障との疑念を抱かせてしまう虞があるためである。
【００１５】
図４は、本実施例のＩＭモータ１，２及び真空ポンプモータ３の第２動作タイムチャートである。ＩＭモータ１，２動作中に真空ポンプモータ３の運転指示が出た場合、ＩＭモータ１，２の動作が優先されるから、真空ポンプモータ３は停止したままとなる。ＩＭモータ１，２の動作がそのまま継続され、動作完了後に真空ポンプモータ３の動作が開始する。
【００１６】
したがって、ＩＭモータ１，２と真空ポンプモータ３が同時に動作することはないので、モータ電流検出用回路を共用化しても各々のモータ電流の検出が可能である。本実施例によれば、製氷皿回動用モータ１のモータ電流値が上昇した場合は、製氷皿に氷が挟まるなどして製氷皿が回動できなくなったという異状を検知できる。給水ポンプモータ２の電流値が上昇した場合は、給水タンク２０の水がなくなった又は少なくなったという異状を検知できる。真空ポンプモータ３の電流値の変化によって真空貯蔵室内の圧力を検知できる。
【００１７】
すなわち、ＩＭモータ１，２の電流上昇からはＩＭモータ１，２の異常を検知でき、真空ポンプモータ３の電流値変化からは真空ポンプモータ３への電流供給の必要性の有無を判断できる。
【００１８】
なお、真空貯蔵室の減圧を或る程度行うことを優先させるべく、真空ポンプモータ３の電流値について閾値を設け、真空ポンプモータ３の運転指示が出た場合、閾値を過ぎるまでは真空ポンプモータ３の動作を優先させ、過ぎた後はＩＭモータ１，２の動作を優先させるようにしても良い。
【００１９】
本願は次の思想を包含する。
２つ又は３つ以上のモータと、
２つ以上の前記モータに運転電流を供給する又は運転電流の供給指令を出力するドライバと、
前記モータのいずれかに供給された運転電流を検知する運転検知部と、を有し、
前記モータのいずれか１つが運転している間、残りのモータは運転していない、複数のモータの異常検知装置。
【符号の説明】
【００２０】
１  製氷皿回動用モータ
２  給水ポンプモータ
３  真空ポンプモータ
４  第１モータドライバＩＣ
５  第２モータドライバＩＣ
６  シャント抵抗（運転検知部）
７  オペアンプ
８  制御マイコン
【図１】
2020118405.tif 000003
【図２】
2020118405.tif 000004
【図３】
2020118405.tif 000005
【図４】
2020118405.tif 000006